(57)【要約】【課題】面換えを行うことが容易な遊技機を提供することを目的とする。【解決手段】  本発明に係る遊技機は、遊技盤２が着脱自在に取り付けられる遊技機枠３ａと、遊技機枠３ａに備えられ、遊技に関する演出を制御する演出制御基板６０と、遊技盤２の前面側に電気的な装飾を施すランプ３５０ａと、第１導体パターンが形成され、演出制御基板６０から出力される制御信号を基にしてランプ３５０ａを駆動制御するランプ取付基板１８０と、第２導体パターン１９０ａが形成され、演出制御基板６０から出力される制御信号を中継する中継基板１９０とを備え、第１の基板１８０および第２の基板１９０は、第１導体パターンと第２導体パターン１９０ａとが接触することにより、相互に電気的に接続されることを特徴とする。【選択図】図２
2007143988.tif 000002
【特許請求の範囲】
【請求項１】
遊技盤が着脱自在に取り付けられる遊技機枠と、
前記遊技機枠に備えられ、遊技に関する演出を制御する制御基板と、
前記遊技盤の前面側に電気的な装飾を施す装飾部材と、
第１導体パターンが形成され、前記制御基板から出力される制御信号を基にして前記装飾部材を駆動制御する第１の基板と、
第２導体パターンが形成され、前記制御基板から出力される制御信号を中継する第２の基板とを備え、
前記第１の基板および前記第２の基板は、前記第１導体パターンと前記第２導体パターンとが接触することにより、相互に電気的に接続される、
ことを特徴とする遊技機。
【請求項２】
前記第１導体パターンおよび前記第２導体パターンの少なくとも何れか一方は、他基板と接触する部分が突出して形成される、
ことを特徴とする請求項１記載の遊技機。
【請求項３】
前記遊技機枠に開閉可能に取り付けられたガラス枠と、
前記ガラス枠の前面に着脱自在に取り付けられ、前記装飾部材を収納する装飾パネルとを更に備え、
前記第１の基板は前記装飾パネルに、前記第２の基板は前記ガラス枠にそれぞれ設けられる、
ことを特徴とする請求項１または２に記載の遊技機。
【請求項４】
前記遊技機枠に開閉可能に取り付けられたガラス枠を更に備え、
前記第１の基板は前記ガラス枠に、前記第２の基板は遊技機枠にそれぞれ設けられる、
ことを特徴とする請求項１または２に記載の遊技機。
【請求項５】
前記第１の基板は前記遊技盤に、前記第２の基板は遊技機枠にそれぞれ設けられる、
ことを特徴とする請求項１または２に記載の遊技機。
【請求項６】
前記制御基板には、第３導体パターンが形成され、
前記第１の基板は、前記第１導体パターンと前記第３導体パターンとが接触することにより、前記制御基板と電気的に接続されて前記制御基板から出力される制御信号を受信可能となる、
ことを特徴とする請求項１、２、４および５の何れか一項に記載の遊技機。
【請求項７】
前記第１の基板の少なくとも一部および前記第２の基板の少なくとも一部に、可撓性を有する可撓部が形成される、
ことを特徴とする請求項１〜６の何れか一項に記載の遊技機。
【請求項８】
前記可撓部は、前記第１導体パターンと前記第２導体パターンとが互いに接触する部分に形成される、
ことを特徴とする請求項７に記載の遊技機。
【発明の詳細な説明】
【技術分野】
【０００１】
本発明は、遊技機に関し、特に遊技に関する演出を制御する制御基板を備えた遊技機に関する。
【背景技術】
【０００２】
従来より、遊技に関する演出を制御する制御基板と、当該制御基板から出力される制御信号を基にして装飾部材（ランプ等）を駆動制御するランプ取付基板（第１の基板）と、制御基板から出力される制御信号を中継する中継基板とを備えた遊技機が登場している。
【０００３】
また、上記制御基板、ランプ取付基板および中継基板は、ハーネスを介して互いに電気的に接続されており、当該遊技機においては、制御基板からランプ取付基板へ出力される制御信号を基にして装飾部材の演出が行われていた。
【０００４】
ここで、上述した遊技機の演出が旧式化してきた場合、当該遊技機を新機種に交換してイメージチェンジを図る手法が取られてきた。
【０００５】
しかしながら、旧機種を新機種に丸ごと交換すると、コストがかかりすぎてしまううえ、リサイクル効率も悪い。
【０００６】
そこで、このような問題を解決するために、近年では、遊技機の一部（例えば、外枠、遊技機枠等）を異機種間で流用し、演出に関係する部分（例えば、遊技盤、ガラス枠部分、装飾パネル部分など）のみを取り替える手法（いわゆる「面換え」）が多く採用されている。
【０００７】
また、特許文献１の遊技機では、遊技盤の汎用性を広げることで、上記面換えをより容易にしている。
【０００８】
このように、遊技機の一部のみを交換する面換えという手法を取り入れることで、イメージチェンジにかかるコストを抑制することができるとともに、遊技機のリサイクル効率を高めることができる。
【特許文献１】特開２００１−１３７５０６号公報
【発明の開示】
【発明が解決しようとする課題】
【０００９】
しかしなから、従来の遊技機では、上記制御基板、ランプ取付基板、中継基板を電気的に接続するハーネスの配置が複雑であるため、当該ハーネスの取り外しが難しく、面換えに手間がかかっていた。
【００１０】
また、各基板は、その基板の入出力部とハーネスに形成されたコネクタとが嵌合することで上記ハーネスに接続されるようになっているが、当該嵌合は、振動等により外れることを防ぐためにゆるみなく行われる場合が多い。そのため、当該嵌合を解除するために要する労力は多大なものとなり、面換えを困難にしていた。
【００１１】
そこで、本発明は、面換えを行うことが容易な遊技機を提供することを目的とする。
【課題を解決するための手段】
【００１２】
上記課題を解決するため、請求項１に記載の本発明の遊技機は、遊技盤（遊技盤２）が着脱自在に取り付けられる遊技機枠（遊技機枠３ａ）と、遊技機枠に備えられ、遊技に関する演出を制御する制御基板（演出制御基板６０）と、遊技盤の前面側に電気的な装飾を施す装飾部材（ランプ３５０ａ）と、第１導体パターン（第１導体パターン１８０ａ）が形成され、制御基板から出力される制御信号を基にして装飾部材を駆動制御する第１の基板（ランプ取付基板１８０）と、第２導体パターン（第２導体パターン１９０ａ）が形成され、制御基板から出力される制御信号を中継する第２の基板（中継基板１９０）とを備え、第１の基板および第２の基板は、第１導体パターンと第２導体パターンとが接触することにより、相互に電気的に接続されることを特徴とする。
【００１３】
このように、第１の基板および第２の基板は、第１導体パターンと第２導体パターンとを接触させるのみで互いに電気的に接続されるようになっている。つまり、本発明によれば、第１の基板と第２の基板とを電気的に接続させるためのハーネスが不要となる。
【００１４】
そのため、面換えの際におけるハーネスの取り外しの手間を省くことができるので、面換えを行うことが容易となる。
【００１５】
また、本発明によれば、第１の基板および第２の基板は、上述したように、第１導体パターンと第２導体パターンとが接触するのみで互いに電気的に接続されるため、コネクタを嵌合させる必要がない。そのため、面換えの際において、コネクタの嵌合を解除するために要する労力を省くことができ、面換えを行うことがより容易となる。
【００１６】
請求項２に記載の本発明は、請求項１に記載の発明の構成に加えて、第１導体パターンおよび第２導体パターンの少なくとも何れか一方は、他基板と接触する部分が突出して形成されることを特徴とする。
【００１７】
本構成によれば、第１導体パターンおよび第２導体パターンの少なくとも何れか一方は、他基板と接触する部分が突出して形成されているため、第１の基板と第２の基板とを電気的に接続させた場合の接触面を減らすことができる。そのため、擦れや圧迫等により基板が破損する危険性を減少させることができる。
【００１８】
請求項３に記載の本発明は、請求項１または２に記載の発明の構成に加えて、遊技機枠に開閉可能に取り付けられたガラス枠（ガラス枠９）と、ガラス枠の前面に着脱自在に取り付けられ、装飾部材を収納する装飾パネル（装飾パネル２００）とを更に備え、第１の基板は装飾パネルに、第２の基板はガラス枠にそれぞれ設けられることを特徴とする。
【００１９】
本構成によれば、第１の基板は装飾パネルに、第２の基板はガラス枠にそれぞれ設けられているので、装飾パネルは第１の基板と一緒に、一方、ガラス枠は第２の基板と一緒に各々取り外すことができる。これにより、各部材の取り外しの手間を、各部材を個別に取り外す場合に比べて省くことができる。そのため、本発明によれば、装飾パネルやガラス枠等の交換が容易となり、面換えをより容易に行うことが可能となる。
【００２０】
請求項４に記載の本発明は、請求項１または２に記載の発明の構成に加えて、遊技機枠に開閉可能に取り付けられたガラス枠を更に備え、第１の基板はガラス枠に、第２の基板は遊技機枠にそれぞれ設けられることを特徴とする。
【００２１】
本構成によれば、第１の基板はガラス枠に、第２の基板は遊技機枠にそれぞれ設けられているので、ガラス枠は第１の基板と一緒に、一方、遊技機枠は第２の基板と一緒に各々取り外すことができる。これにより、各部材の取り外しの手間を、各部材を個別に取り外す場合に比べて省くことができる。そのため、本発明によれば、ガラス枠や遊技機枠等の交換が容易となり、面換えをより容易に行うことが可能となる。
【００２２】
また、本発明によれば、第１の基板はガラス枠に、一方、第２の基板は遊技機枠に各々固定して取り付けることができるので、各基板を遊技機本体に接続させることがより容易となる。
【００２３】
請求項５に記載の本発明は、請求項１または２に記載の発明の構成に加えて、第１の基板は遊技盤に、第２の基板は遊技機枠にそれぞれ設けられることを特徴とする。
【００２４】
本構成によれば、第１の基板は遊技盤に、第２の基板は遊技機枠にそれぞれ設けられているので、遊技盤は第１の基板と一緒に、一方、遊技機枠は第２の基板と一緒に各々取り外すことができる。これにより、各部材の取り外しの手間を、各部材を個別に取り外す場合に比べて省くことができる。そのため、本発明によれば、遊技盤や遊技機枠等の交換が容易となり、面換えをより容易に行うことが可能となる。
【００２５】
また、本発明によれば、第１の基板は遊技盤に、一方、第２の基板は遊技機枠に各々固定して取り付けることができるので、各基板を遊技機本体に接続させることがより容易となる。
【００２６】
請求項６に記載の本発明は、請求項１、２、４および５の何れか一項に記載の発明の構成に加えて、制御基板には、第３導体パターン（第３導体パターン６０ａ）が形成され、第１の基板は、第１導体パターンと第３導体パターンとが接触することにより、制御基板と電気的に接続されて制御基板から出力される制御信号を受信可能となることを特徴とする。
【００２７】
本構成によれば、第１の基板は、制御基板に直接接続されているため、当該制御基板から出力される制御信号を直接受信することができるようになっている。そのため、制御信号を中継する第２の基板を省くことができ、コストを抑制することかできる。
【００２８】
また、本発明によれば、上述したように基板数を減らすことができるため、面換えの際の負担をより軽減させることができる。
【００２９】
請求項７に記載の本発明は、請求項１〜６の何れか一項に記載の発明の構成に加えて、第１の基板の少なくとも一部および第２の基板の少なくとも一部に、可撓性を有する可撓部（たとえば、可撓部１８０ａａ、可撓部１９０ａａなど）が形成されることを特徴とする。
【００３０】
本構成によれば、第１の基板の一部および第２の基板の一部にそれぞれ形成された可撓部は、可撓性を有しているため、第１導体パターンもしくは第２導体パターンに外部からの力が加えられた場合に撓むようになっている。つまり、本発明によれば、第１導体パターンと第２導体パターンとが接触して互いに圧迫し合ったとしても、可撓部が撓むことで接触面にかかる負荷を軽減させることができ、基板の破損を防止することができる。
【００３１】
また、可撓性を有する可撓部は、多少の衝撃であれば吸収することができるので、結果として、基板の耐久性を高めることができる。そのため、基板の着脱や運搬をより安全に行うことができ、面換えを行うことがより容易となる。
【００３２】
請求項８に記載の本発明は、請求項７に記載の発明の構成に加えて、可撓部は、第１導体パターンと第２導体パターンとが互いに接触する部分に形成されることを特徴とする。
【００３３】
本構成によれば、上述した可撓部は、第１導体パターンと第２導体パターンとが接触する部分に形成されているため、当該第１導体パターンと第２導体パターンとの接触面の負荷をより軽減させることができ、基板の破損をより防止することができる。
【００３４】
また、可撓性を有した可撓部は、多少の衝撃であれば吸収することができるので、結果として、基板の耐久性を高めることができる。そのため、基板の着脱や運搬をより安全に行うことができ、面換えがより容易となる。
【発明の効果】
【００３５】
本発明によれば以下の効果を奏することができる。
【００３６】
すなわち、本発明によれば、面換えを行うことが容易な遊技機を提供することが可能となる。
【発明を実施するための最良の形態】
【００３７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３８】
図１は実施の形態１に係る遊技機の構成を示す斜視図、図２は実施の形態１に係る遊技機の分解斜視図、図３は図１の遊技機の遊技機枠の背面側を示す説明図、図４は装飾ベースの裏面に嵌め込まれたランプ取付基板を示す斜視図、図５はランプ取付基板および中継基板を側面から見た断面図、図６は図１に係る装飾パネルのＡ−Ａ線断面を示す説明図、図７は実施の形態２に係る遊技機の分解斜視図、図８は実施の形態３に係るランプ取付基板および演出制御基板を側面から見た断面図である。
【００３９】
図１および図２に示すように、パチンコ遊技機（遊技機）１は、遊技盤２が装着される遊技機枠３ａがヒンジ３ｃを介して島設備に固定される外枠３ｂに回動可能に取り付けられ（すなわち、遊技機枠３ａは、遊技機枠３ａの一方端を回動支点として支持されて当該外枠３ｂに開閉可能に取り付けられる。）、これら遊技機枠３ａおよび外枠３ｂで遊技機本体３が構成されている。そして、このような遊技機本体３の遊技機枠３ａに対して、スピーカ８ａ、液晶表示装置（ＬＣＤ）４０、遊技盤２を視認可能に被うガラス板９ｂを嵌装するガラス枠９、上皿部４、下皿部５、ハンドル７が取り付けられるようになっている。
【００４０】
ガラス枠９は、その一端が遊技機枠３ａに回動可能に軸支され、他端が遊技機枠３ａに係合するようになっている。つまり、ガラス枠９は、遊技機枠３ａに開閉可能に取り付けられている。
【００４１】
さらに、ガラス枠９の前面上部には、装飾パネル２００が着脱自在に取り付けられている。
【００４２】
また、ガラス枠９の下側には、上皿部４が一体化して形成されており、当該上皿部４は、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー１０が設けられている。
【００４３】
ガラス枠９の上側には、上板９ａが突出して設けられている。そして、上板９ａの表面側には、中継基板１９０が設けられている（図２および図５参照）。
【００４４】
中継基板１９０は、電気信号を中継するための制御回路を搭載している。そして、当該中継基板１９０の制御回路は、後述する演出制御基板６０（図３）の制御回路に、ハーネス（図示せず）を介して電気的に接続されており、当該演出制御基板６０の制御回路から出力される制御信号を中継する役割を担っている。また、中継基板１９０の表面側には、導電性を有する部材（例えば、銅）で構成された第２導体パターン１９０ａが突出して形成されている（図２および図５参照）。なお、装飾パネル２００がガラス枠９の前面上部に取り付けられた場合、当該第２導体パターン１９０ａの突出した部分（後述する可撓部１９０ａａ）が、ランプ取付基板１８０（後述）における第１導体パターン１８０ａの突出した部分（後述する可撓部１８０ａａ）に接触するようになっている（図５（ｂ）参照）。
【００４５】
上皿部４の下側に位置する下皿部５は、遊技機枠３ａに固定されるようになっており、払い出しにより上皿４ａからオーバーフローした遊技球が貯留される下皿５ａを有している。
【００４６】
下皿部５の右側に設けられたハンドル７は、レール（図示せず）を介して遊技盤２の遊技領域（図示せず）へ遊技球を打ち込む際に回動操作されるものであり、遊技球の発射を停止させるストップボタン（図示せず）が設けられている。
【００４７】
液晶表示装置（ＬＣＤ）４０は、遊技機本体３内で、且つ遊技盤２の背後に設けられ、遊技盤を通して視認可能になっており、演出画像（例えば、遊技状態に対応したアニメーションやその他の報知情報など。）等を表示可能な表示領域を備えている。
【００４８】
なお、上記液晶表示装置４０にかえて、例えばプラズマディスプレイ等の表示手段を用いてもよい。
【００４９】
スピーカ８ａは、遊技機枠３ａ上部の左右に固定されており、所定の音（例えば、遊技状態に対応した音楽やその他の報知情報など）を前方に向けて出力する機能を有している。
【００５０】
そして、スピーカ８ａの前面は、後述する装飾カバー２００ａに覆われるようになっている。
【００５１】
次に、図３を用いて遊技機枠３ａの背面側の構成について説明する。図３は、遊技機枠３ａの背面側を示す説明図である。
【００５２】
なお、図３において、向かって右側がヒンジ側（ヒンジ３ｃを介して外枠３ｂに回動可能に取り付けられている側。すなわち、回動支点として支持される側。）であり、左側が開閉端側である。そのため、遊技機内部が開放される場合は、開閉端側から開放される。
【００５３】
また、同図に示すように、遊技機枠３ａの背面には、遊技機１の動作を実現するためのさまざまな電子部品や電子部品等を実装した基板等が搭載されている。
【００５４】
例えば、遊技機枠３ａの背面中央には、予め設定されたプログラムに従ってパチンコ機１の遊技動作を行うメインＣＰＵ（超小型演算処理装置）等を実装する主制御基板１００が、遊技機枠３ａの背面の中央よりやや上右側にはＡＣ電源の取り込みや基板間の信号の中継を行う枠中継基板１３０が、遊技機枠３ａの背面の中央よりやや下左側には各電子部品が動作するために必要な電圧の電源を生成する電源基板１５０が、遊技機枠３ａの背面の中央よりやや下右側には、賞球や貸球等を上皿４ａに向けて払出す払出装置（図示せず）を駆動制御する払出制御基板１７０がそれぞれ搭載されている。なお、遊技機枠３ａの背面の上部には遊技球が貯留される貯留タンク４００が配置されている。さらに、遊技機枠３ａの背面の各所には、電子部品を搭載した基板間を電気的に接続するハーネス（図示せず）が伸びている。
【００５５】
そして、遊技機枠３ａの背面の中央よりやや上左側、すなわち、主制御基板１００の上方には、制御基板ケース５０が搭載されている。制御基板ケース５０には、遊技に関する演出を制御する制御回路を搭載した演出制御基板（制御基板）６０が格納されている。
【００５６】
なお、本実施の形態においては、上記演出制御基板６０により、液晶表示装置４０の画像表示制御や、遊技機１の各所に配置されているランプ・ＬＥＤ（図示せず）等の発光表示制御、スピーカ８ａからの音出力制御が行われる。
【００５７】
さらに、演出制御基板６０は、ランプ取付基板１８０に制御信号を出力することにより、ランプ３５０ａの発光制御を行っている。
【００５８】
このように、遊技機枠３ａの背面には、電子部品や基板等が搭載されている。
【００５９】
但し、これらＣＰＵなどの電子部品を実装（搭載）した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、制御基板ケース５０内に含めるなど、基板としての構成には様々な態様が考えられる。
【００６０】
また、パチンコ遊技機１における各処理は、各基板が、上述したように分担して行っているが、本発明はこれに限られず、各基板の分担する処理は異なっていてもよい。例えば、主制御基板１００が、演出制御基板６０により制御される処理の全部または一部を処理してもよいし、演出制御基板６０が、主制御基板１００により制御される処理の全部または一部を処理してもよい。
【００６１】
次に、ガラス枠９の前面上部に取り付けられる装飾パネル２００について説明する。
【００６２】
装飾パネル２００は、略長方形状を呈し、その前面側の左右に、スピーカ８ａおよび後述するランプ３５０ａの正面側を覆う装飾カバー２００ａが配置されるようになっている（図２および５参照）。なお、装飾カバー２００ａには、スリット状の通過孔が多数形成されており、ランプ３５０ａから発せられる光やスピーカ８ａから発せられる音声は、当該通過孔を通過して遊技盤２の前面に到達する（図６参照。なお、図６において矢印５００はランプ３５０ａから発せられる光の流れを示しており、矢印６００は、スピーカ８ａから発せられる音の流れを示している）。
【００６３】
ここで、本実施の形態において、装飾カバー２００ａは、ポリカーボネートやアクリル樹脂（ＰＭＭＡ）などの導光性の部材で構成されている。また、光を拡散しやすくなるように白色顔料等の拡散部材を含有させてもよい。
【００６４】
なお、装飾カバー２００ａおよび装飾パネル２００は、透明性を有する部材で構成されていてもよい。
【００６５】
また、装飾パネル２００の裏面側には、装飾ベース３００が取り付けられるようになっている（図６参照）。
【００６６】
ここで、本実施の形態における装飾ベース３００の構成について説明する。
【００６７】
装飾ベース３００は、その四隅にネジ孔（図示せず）が形成されており、ネジ等で装飾パネル２００の裏面側に固定されて取り付けられるようになっている。但し、これに限定されず、装飾ベース３００は、例えば、ピン等により固定されるようになっていてもよいし、接着により取り付けられるようになっていてもよい。
【００６８】
また、装飾ベース３００の中央部には、略長方形状の孔が形成されており、当該略長方形状の孔に、ランプ（装飾部材）３５０ａを備えるランプ基台３５０、および演出制御基板６０から出力される制御信号を基にして上記ランプ３５０ａを駆動制御する制御回路を搭載したランプ取付基板１８０が嵌め込まれるようになっている（図２および図５参照）。
【００６９】
ここで、上記ランプ基台３５０およびランプ取付基板１８０が装飾ベース３００の孔に嵌め込まれた場合、ランプ基台３５０は、装飾ベース３００の表面側に位置し、ランプ取付基板１８０は、装飾ベース３００の裏面側に位置するようになっている（図２〜図６参照）。
【００７０】
そして、上記ランプ基台３５０の表面側には、遊技盤２の前面側に電気的な装飾を施すランプ（装飾部材）３５０ａが備えられている。ランプ３５０ａは、ランプ取付基板１８０の制御回路に電気的に接続されており、当該制御回路の駆動制御に応じて遊技盤２の前面を照らすようになっている。また、遊技盤２は、上記ランプ３５０ａに照らされることにより、その前面側に電気的な装飾が施される。
【００７１】
また、本実施の形態のランプ（装飾部材）３５０ａは、上述した位置に備えられているため、装飾ベース３００が装飾パネル２００の裏面側に取り付けられると、必然的に装飾パネル２００に収納されるようになる。
【００７２】
次に、本実施の形態のランプ取付基板１８０について、図４を用いて説明する。図４は、装飾ベースの裏面に嵌め込まれたランプ取付基板を示す斜視図である。
【００７３】
同図に示すように、ランプ取付基板１８０には、導電性を有する部材（たとえば、銅）で構成された第１導体パターン１８０ａが突出して形成されている。但し、図４において第１導体パターン１８０ａは４つ形成されているが、本発明において、第１導体パターン１８０ａの数は特に限定しない。また同様に、第２導体パターン１９０ａや後述する第３導体パターン６０ａの数も特に限定しない。
【００７４】
本実施の形態において上記第１導体パターン１８０ａは、突出した部分（可撓部１８０ａａ）を２箇所有しており、当該突出した部分が、第２導体パターン１９０ａの突出した部分（可撓部１９０ａａ）に接触するようになっている（図５（ｂ）参照）。
【００７５】
ここで、第１導体パターン１８０ａおよび第２導体パターン１８０ａの突出した部分は、それぞれ可撓性を有しており、圧迫されると撓むようになっている（図５（ｂ）参照。以下、当該第１導体パターン１８０ａの突出した部分を「可撓部１８０ａａ」といい、第２導体パターン１９０ａの突出した部分を「可撓部１９０ａａ」という）。
【００７６】
次に、図５を用いてランプ取付基板１８０および中継基板１９０の接触態様について説明する。図５はランプ取付基板および中継基板を側面から見た断面図である。
【００７７】
同図に示すように、ランプ取付基板１８０における第１導体パターン１８０ａの可撓部１８０ａａ、および中継基板１９０における第２導体パターン１９０ａの可撓部１９０ａａの内側には、空間が形成されている。
【００７８】
そして、可撓部１８０ａａの内側の空間には、導電性を有する銅箔部１８０ｂが突出して設けられている。銅箔部１８０ｂは、ランプ取付基板１８０の制御回路に電気的に繋がっている。また、可撓部１９０ａａの内側の空間には、導電性を有する銅箔部１９０ｂが突出して設けられている。銅箔部１９０ｂは、ランプ取付基板１８０の制御回路に電気的に繋がっている。
【００７９】
そして、装飾パネル２００がガラス枠９の前面上部に取り付けられると、それに伴い、第１導体パターン１８０ａの可撓部１８０ａａと第２導体パターン１９０ａの可撓部１９０ａａとが接触して互いに圧迫し合うようになっている（図５（ｂ）参照）。
【００８０】
可撓部１８０ａａおよび可撓部１９０ａａは、上述したように可撓性を有しているため、可撓部１８０ａａと可撓部１９０ａａとが互いに圧迫し合うと、互いに撓む。そして、その結果として、可撓部１８０ａａの内壁が銅箔部１８０ｂの先端に接触するとともに、可撓部１９０ａａの内壁が銅箔部１９０ｂの先端に接触する。
【００８１】
この場合、中継基板１９０の制御回路とランプ取付基板１８０の制御回路とが導電性を有する部材を介して電気的に繋がるので、演出制御基板６０の制御回路から出力された制御信号が、中継基板１９０を中継してランプ取付基板１８０の制御回路に到達するようになる。これにより、ランプ取付基板１８０の制御回路は、演出制御基板６０の制御回路から出力される制御信号を受信可能となり、当該制御信号を基にしてランプ３５０ａを駆動制御することができるようになる。
【００８２】
このように本実施の形態によれば、ランプ取付基板１８０および中継基板１９０は、第１導体パターン１８０ａと第２導体パターン１９０ａとを接触させるのみで互いに電気的に接続されるようになっているので、ランプ取付基板１８０と中継基板１９０とを電気的に接続させるためのハーネスが不要となり、面換え（ここでいう面換えとは、遊技機の一部（例えば、外枠３ｂ、遊技機枠３ａ等）を異機種間で流用し、演出に関係する部分（例えば、遊技盤２、ガラス枠９部分、装飾パネル２００部分など）のみを取り替える手法のことをいう）を行う際におけるハーネスの取り外しの手間を省くことができる。
【００８３】
また、本実施の形態によれば、ランプ取付基板１８０と中継基板１９０とが電気的に接続される際には、可撓部１８０ａａおよび可撓部１９０ａａが撓んでその接触面が広がるようになっている。これにより、ランプ取付基板１８０と中継基板１９０との電気的な接触が安定し、接触不良等が生じる可能性を減少させることができる。
【００８４】
さらに、本実施の形態によれば、銅箔部１８０ｂおよび銅箔部１９０ｂは、それぞれ可撓部に覆われているため、衝撃等から保護されるようになっている。
【００８５】
ここで、本実施の形態の可撓部（可撓部１８０ａａや可撓部１９０ａａ等）は、撓んでいない状態において銅箔部と非接触であるが、本発明はこれに限られず、常に接触していてもよい。
【００８６】
以上、本発明の実施の形態を説明したが、これは本発明を具体的に例示したに過ぎず、特に本発明を限定するものではない。
【００８７】
また、本実施の形態において、遊技盤２の前面側に電気的な装飾を施す装飾部材としてランプ３５０ａを用いていたが、これに限られず、発光することが可能な部材であればよい。例えば、ＬＥＤ（発光ダイオード）を用いてもよい。
【００８８】
さらに、本実施の形態において、ランプ取付基板１８０は、装飾パネル２００に、中継基板１９０はガラス枠９にそれぞれ設けられていたが、これに限られず、ランプ取付基板１８０や中継基板１９０は、他の場所に設けられていてもよい。例えば、ランプ取付基板１８０はガラス枠９に、中継基板１９０は遊技機枠３ａにそれぞれ設けられていてもよい。
【００８９】
この場合、ガラス枠９はランプ取付基板１８０と一緒に、一方、遊技機枠３ａは中継基板１９０と一緒に各々取り外すことができるので、各部材の取り外しの手間を、各部材を個別に取り外す場合に比べて省くことができる。そのため、本発明によれば、ガラス枠９や遊技機枠３ａ等の交換が容易となり、面換えをより容易に行うことが可能となる。
【００９０】
また、ランプ取付基板１８０はガラス枠９に、一方、中継基板１９０は遊技機枠３ａに各々固定して取り付けた場合、各基板を遊技機本体３に接続させることがより容易となる。
【００９１】
また、本実施の形態において、第１導体パターン１８０ａの可撓部１８０ａａ、第２導体パターン１９０ａの可撓部１９０ａａの双方が突出して形成されていたが、本発明においては、少なくとも何れか一方のみが突出して形成されていればよい。
【００９２】
以上説明したように、本実施の形態によれば、ランプ取付基板（第１の基板）１８０および中継基板（第２の基板）１９０は、第１導体パターン１８０ａと第２導体パターン１９０ａとを接触させるのみで互いに電気的に接続されるようになっている。つまり、本発明によれば、ランプ取付基板（第１の基板）１８０と中継基板（第２の基板）１９０とを電気的に接続させるためのハーネスが不要となる。
【００９３】
そのため、面換えの際におけるハーネスの取り外しの手間を省くことができるので、面換えを行うことが容易となる。
【００９４】
また、本発明によれば、ランプ取付基板１８０および中継基板１９０は、上述したように、第１導体パターン１８０ａと第２導体パターン１９０ａとが接触するのみで互いに電気的に接続されるため、コネクタを嵌合させる必要がない。そのため、面換えの際において、コネクタの嵌合を解除するために要する労力を省くことができ、面換えを行うことがより容易となる。
【００９５】
さらに本実施の形態によれば、第１導体パターン１８０ａおよび第２導体パターン１９０ａの少なくとも何れか一方は、他基板と接触する部分が突出して形成されているため、第１導体パターン１８０ａと第２導体パターン１９０ａとを電気的に接続させた場合の接触面を減らすことができる。そのため、擦れや圧迫等により基板が破損する危険性を減少させることができる。
【００９６】
また、本実施の形態によれば、ランプ取付基板１８０は装飾パネル２００に、中継基板１９０はガラス枠９にそれぞれ設けられているので、装飾パネル２００はランプ取付基板１８０と一緒に、一方、ガラス枠９は中継基板１９０と一緒に各々取り外すことができる。これにより、各部材の取り外しの手間を、各部材を個別に取り外す場合に比べて省くことができる。そのため、本発明によれば、装飾パネル２００やガラス枠９等の交換が容易となり、面換えをより容易に行うことが可能となる。
【００９７】
また、本実施の形態によれば、ランプ取付基板１８０の一部および中継基板１９０の一部にそれぞれ形成された可撓部（たとえば、可撓部１８０ａａ、可撓部１９０ａａなど）は、可撓性を有しているため、第１導体パターン１８０ａもしくは第２導体パターン１９０ａに外部からの力が加えられた場合に撓むようになっている。つまり、本発明によれば、第１導体パターン１８０ａと第２導体パターン１９０ａとが接触して互いに圧迫し合ったとしても、可撓部が撓むことで接触面にかかる負荷を軽減させることができ、基板の破損を防止することができる。
【００９８】
また、可撓性を有する可撓部は、多少の衝撃であれば吸収することができるので、結果として、基板の耐久性を高めることができる。そのため、基板の着脱や運搬をより安全に行うことができ、面換えを行うことがより容易となる。
【００９９】
さらに、本実施の形態によれば、上述した可撓部（たとえば、可撓部１８０ａａ、可撓部１９０ａａなど）は、第１導体パターン１８０ａと第２導体パターン１９０ａとが接触する部分に形成されているため、当該第１導体パターン１８０ａと第２導体パターン１９０ａとの接触面の負荷をより軽減させることができ、基板の破損をより防止することができる。
【０１００】
（実施の形態２）
【０１０１】
本実施の形態の遊技機は、実施の形態１の遊技機の機能の一部に変更を加え、以下に示す機能を有する。
【０１０２】
本発明の実施の形態２では、ランプ取付基板１８０は遊技盤２の裏面に、一方、中継基板１９０は遊技機枠３ａのランプ取付基板１８０と対向する位置に取り付けられている（図７参照）。
【０１０３】
そして、本実施の形態では、遊技盤２が遊技機枠３ａに装着された場合に、第１導体パターン１８０ａの可撓部１８０ａａと第２導体パターン１９０ａの可撓部１９０ａａとが接触して互いに圧迫し合う。これにより、可撓部１９０ａａは銅箔部１９０ｂと、可撓部１９０ａａは銅箔部１９０ｂとそれぞれ接触し、中継基板１９０の制御回路とランプ取付基板１８０の制御回路とが導電性を有する部材を介して電気的に繋がるようになる。
【０１０４】
ここで、本実施の形態のランプ取付基板１８０の制御回路は、遊技盤２に取り付けられているランプ２ａ（図７）に電気的に接続されており、中継基板１９０を介して演出制御基板６０の制御回路から出力された制御信号を基にして、当該ランプ２ａを駆動制御する。そして、ランプ２ａは、ランプ取付基板１８０における制御回路の駆動制御に応じて遊技盤２の前面を照らすようになっている。また、遊技盤２は、上記ランプ２ａに照らされることにより、その前面側に電気的な装飾が施される。
【０１０５】
このように、本実施の形態によれば、ランプ取付基板１８０は遊技盤２に、中継基板１９０は遊技機枠３ａにそれぞれ設けられているので、遊技盤２はランプ取付基板１８０と一緒に、一方、遊技機枠３ａは中継基板１９０と一緒に各々取り外すことができる。これにより、各部材の取り外しの手間を、各部材を個別に取り外す場合に比べて省くことができる。そのため、本発明によれば、遊技盤２や遊技機枠３ａ等の交換が容易となり、面換えをより容易に行うことが可能となる。
【０１０６】
また、本発明によれば、ランプ取付基板１８０は遊技盤２に、一方、中継基板１９０は遊技機枠３ａに各々固定して取り付けることができるので、各基板を遊技機本体３に接続させることがより容易となる。
【０１０７】
（実施の形態３）
【０１０８】
本実施の形態の遊技機は、実施の形態１の遊技機の機能の一部に変更を加え、以下に示す機能を有する。
【０１０９】
本発明の実施の形態３では、ランプ取付基板１８０はガラス枠９の上板９ａに、一方、演出制御基板６０は、遊技機枠３ａのランプ取付基板１８０と対向する位置に取り付けられている（図８参照）。
【０１１０】
なお、演出制御基板６０に搭載されているカートリッジ６５には、遊技に係る所定のデータを格納する電子部品（記憶素子、ＲＯＭなど）等が内蔵されている。
【０１１１】
さらに、本発明の実施の形態３では、演出制御基板６０のランプ取付基板１８０と対向する面には、導電性を有する部材で構成された第３導体パターン６０ａが突出して形成されている。
【０１１２】
本実施の形態において上記第３導体パターン６０ａは、突出した部分（可撓部６０ａａ）を２箇所有しており、当該突出した部分が、第１導体パターン１８０ａの突出した部分（可撓部１８０ａａ）に接触するようになっている（図８（ｂ）参照）。
【０１１３】
ここで、第３導体パターン６０ａの突出した部分は、第１導体パターン１８０ａと同じく可撓性を有しており、圧迫されると撓むようになっている（図８（ｂ）参照。以下、当該第３導体パターン６０ａの突出した部分を「可撓部６０ａａ」という）。
【０１１４】
さらに、第３導体パターン６０ａの可撓部６０ａａには、可撓部１８０ａａと同様に内側に空間が形成されており、その空間に、導電性を有する銅箔部６０ｂが突出して設けられている。銅箔部６０ｂは、演出制御基板６０の制御回路に電気的に繋がっている。
【０１１５】
そして、本実施の形態では、ガラス枠９が遊技機枠３ａに取り付けられた場合に、第１導体パターン１８０ａの可撓部１８０ａａと第３導体パターン６０ａの可撓部６０ａａとが接触して互いに圧迫し合う。これにより、可撓部１８０ａａは銅箔部１８０ｂと、可撓部６０ａａは銅箔部６０ｂとそれぞれ接触する（図８（ｂ）参照）。
【０１１６】
この場合、演出制御基板６０の制御回路とランプ取付基板１８０の制御回路とが導電性を有する部材を介して電気的に繋がるので、演出制御基板６０の制御回路から出力された制御信号が、ランプ取付基板１８０の制御回路に到達するようになる。これにより、ランプ取付基板１８０の制御回路は、演出制御基板６０の制御回路から出力される制御信号を受信可能となり、当該制御信号を基にしてランプ３５０ａを駆動制御することができるようになる。
【０１１７】
このように本実施の形態によれば、ランプ取付基板１８０および演出制御基板６０は、第１導体パターン１８０ａと第３導体パターン６０ａとを接触させるのみで互いに電気的に接続されるようになっているので、ランプ取付基板１８０と演出制御基板６０とを電気的に接続させるためのハーネスが不要となり、面換えを行う際におけるハーネスの取り外しの手間を省くことができる。
【０１１８】
また、本実施の形態によれば、ランプ取付基板１８０と演出制御基板６０とが電気的に接続される際には、可撓部１８０ａａおよび可撓部６０ａａが撓んでその接触面が広がるようになっている。これにより、ランプ取付基板１８０と演出制御基板６０との電気的な接触が安定し、接触不良等が生じる可能性を減少させることができる。
【０１１９】
また、本実施の形態において、ランプ取付基板１８０は、ガラス枠９に、演出制御基板６０は遊技機枠３ａにそれぞれ設けられていたが、これに限られず、ランプ取付基板１８０や演出制御基板６０は、他の場所に設けられていてもよい。例えば、ランプ取付基板１８０は遊技盤２に設けられていてもよい。
【０１２０】
この場合、遊技盤２はランプ取付基板１８０と一緒に、一方、遊技機枠３ａは演出制御基板６０と一緒に各々取り外すことができるので、各部材の取り外しの手間を、各部材を個別に取り外す場合に比べて省くことができる。そのため、本発明によれば、遊技盤２や遊技機枠３ａ等の交換が容易となり、面換えをより容易に行うことが可能となる。
【０１２１】
なお、本実施の形態において、第１導体パターン１８０ａの可撓部１８０ａａ、第３導体パターン６０ａの可撓部６０ａａの双方が突出して形成されていたが、本発明においては、少なくとも何れか一方のみが突出して形成されていればよい。
【０１２２】
このように本実施の形態によれば、ランプ取付基板１８０は、演出制御基板６０に直接接続されているため、当該演出制御基板６０から出力される制御信号を直接受信することができるようになっている。そのため、制御信号を中継する中継基板１９０を省くことができ、コストを抑制することかできる。
【０１２３】
また、本発明によれば、上述したように基板数を減らすことができるため、面換えの際の負担をより軽減させることができる。
【産業上の利用可能性】
【０１２４】
以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【０１２５】
【図１】実施の形態１に係る遊技機の構成を示す斜視図である。
【図２】実施の形態１に係る遊技機の分解斜視図である。
【図３】図１の遊技機の遊技機枠の背面側を示す説明図である。
【図４】装飾ベースの裏面に嵌め込まれたランプ取付基板を示す斜視図である。
【図５】ランプ取付基板および中継基板を側面から見た断面図である。
【図６】図１に係る装飾パネルのＡ−Ａ線断面を示す説明図である。
【図７】実施の形態２に係る遊技機の分解斜視図である。
【図８】実施の形態３に係るランプ取付基板および演出制御基板を側面から見た断面図である。
【符号の説明】
【０１２６】
１  パチンコ遊技機（遊技機）
２  遊技盤
２ａ  ランプ
３  遊技機本体
３ａ  遊技機枠
３ｂ  外枠
３ｃ  ヒンジ
４  上皿部
４ａ  上皿
５  下皿部
５ｂ  下皿
７  ハンドル
８ａ  スピーカ
９  ガラス枠
９ａ  上板
９ｂ  ガラス板
１０  シャッタレバー
４０  液晶表示装置（ＬＣＤ）
５０  制御基板ケース
６０  演出制御基板（制御基板）
６０ａ  第３導体パターン
６０ａａ  可撓部
６０ｂ  銅箔部
６５  ＲＯＭカートリッジ
１００  主制御基板
１３０  枠中継基板
１５０  電源基板
１７０  払出制御基板
１８０  ランプ取付基板（第１の基板）
１８０ａ  第１導体パターン
１８０ａａ  可撓部
１８０ｂ  銅箔部
１９０  中継基板（第２の基板）
１９０ａ  第２導体パターン
１９０ａａ  可撓部
１９０ｂ  銅箔部
２００  装飾パネル
２００ａ  装飾カバー
３００  装飾ベース
３５０  ランプ基台
３５０ａ  ランプ（装飾部材）
４００  貯留タンク
５００  矢印
６００  矢印
【図１】
2007143988.tif 000003
【図２】
2007143988.tif 000004
【図３】
2007143988.tif 000005
【図４】
2007143988.tif 000006
【図５】
2007143988.tif 000007
【図６】
2007143988.tif 000008
【図７】
2007143988.tif 000009
【図８】
2007143988.tif 000010